(57)【要約】【課題】アクセスの規制された、個人化されたデータおよび／またはプログラムの自動化された生成システムおよび方法を提供する。【解決手段】ユーザー１０，．．．，１４が通信装置２０，．．．，２４を用いてネットワーク３０／３１を介して中央ユニット４０にアクセスし、この通信装置にアクセスの規制されたデータおよび／またはプログラムが送信される。その際、認証カテゴリー４２１１，．．．，４２１４に応じて分割されたデータ・エレメントを有するデータ・レコード４２１，．．．，４２３が生成され、個人化され、アクセスの規制されたデータおよび／またはプログラムが中央ユニット４０のフィルター・モジュール４１を用いてユーザー１０，．．．，１４の認証カテゴリーとアクセス・リクエスト・データに基づいて生成される。【選択図】        図１
2007507012.tif 000002
【特許請求の範囲】
【請求項１】
アクセスの規制された、個人化されたデータおよび／またはプログラムの自動的生成方法であって、ユーザー（１０，．．．，１４）が通信装置（２０，．．．，２４）を用いてネットワーク（３０／３１）を介して中央ユニット（４０）にアクセスし、前記アクセスの規制されたプログラムおよび／またはデータ少なくとも１つの通信装置（１０，．．．，１４）に送信される方法において、
認証クラスに従って分割されたデータ・エレメント（４２１１，．．．，４２１４）を有する論理レコード（４２１，．．．，４２３）が生成され、かつ少なくとも１つのソース・データベース（４２）に記憶され、
前記ユーザー（１０，．．．，１４）は前記中央ユニット（４０）により特定され、認証クラスが前記ユーザー・データベース（４５）を用いて割当られ、
前記少なくとも１つのソース・データベース（４２）の前記論理レコード（４２１，．．．，４２３）に対するアクセスのためのアクセス・リクエスト・データが前記通信装置（２０，．．．，２４）から前記ネットワーク（３０／３１）を介して前記中央ユニット（４０）に送信され、
前記個人化され、アクセスの規制されたデータおよび／またはプログラムは前記中央ユニット（４０）のフィルター・モジュール（４１）を用いて前記ユーザー（１０，．．．，１４）の前記認証データに基づいて、および前記アクセス・リクエスト・データに基づいて生成される方法。
【請求項２】
前記ユーザー（１０，．．．，１４）の前記アクセス・リクエスト・データを用いて決定されるのは、前記個人化され、アクセスの規制されたデータおよび／またはプログラムがどのユーザーおよび／またはユーザー・グループに送信されるかである、請求項１に記載の方法。
【請求項３】
前記データは、前記それぞれのユーザー（１０，．．．，１４）の前記認証クラスに従って、前記通信装置（２０，．．．，２４）の追加のフィルター・モジュールを用いてフィルタリングされる、請求項１または２に記載の方法。
【請求項４】
清算データが中央ユニット（４０）から清算モジュール（４３）に送信され、前記清算データは前記アクセスの規制された、個人化されたデータおよび／またはプログラムへの前記アクセスに対する課金データを含む、請求項１〜３のいずれか一項に記載の方法。
【請求項５】
ユーザー・プロフィルが前記それぞれのユーザーの挙動に基づいて作成され、かつ前記ユーザー（１０，．．．，１４）に割り当てられて記憶され、前記アクセスの規制された、個人化されたデータおよび／またはプログラムは少なくとも部分的に前記ユーザー・プロフィルに基づいて生成され、および／または最適化される、請求項１〜４のいずれか一項に記載の方法。
【請求項６】
前記アクセスの規制された、個人化されたデータおよび／またはプログラムは前記ユーザーがアクセス可能な中央ユニット（４０）の永久データ・ストア（４６）に記憶される、請求項１〜５のいずれか一項に記載の方法。
【請求項７】
前記ユーザー・プロフィルに記憶されているのは、ネットワーク特性についてのユーザーに特異的なデータ、および／またはユーザー（１０，．．．，１４）の通信装置のハードウェア特性についてのデータ、および／またはユーザーの挙動についてのデータである、請求項１〜６のいずれか一項に記載の方法。
【請求項８】
異なる通信装置（２０，．．．，２４）に対して異なるユーザー・プロフィルがユーザー（１０，．．．，１４）に割り当てられて記憶される、請求項１〜７のいずれか一項に記載の方法。
【請求項９】
前記アクセス・リクエスト・データは第１の双方向通信チャンネルを経由して前記中央ユニット（４０）に送信され、前記ユーザー（１０，．．．，１４）は特定され、かつ前記アクセスの規制された、個人化されたデータおよび／またはプログラムは前記通信装置（２０，．．．，２４）に暗号化された態様で、第２の通信チャンネルを経由して一方向に送信される、請求項１〜８のいずれか一項に記載の方法。
【請求項１０】
前記第１の双方向通信チャンネルは少なくとも１つのモバイル無線ネットワーク（３１）を含み、および／または前記第２の一方向通信チャンネルは少なくとも１つの放送送信機を含む、請求項９に記載の方法。
【請求項１１】
ＨＴＭＬおよび／またはＨＤＭＬおよび／またはＷＭＬおよび／またはＶＲＭＬおよび／またはＡＳＤが前記個人化されたデータを生成するのに用いられる、請求項１〜１０のいずれか一項に記載の方法。
【請求項１２】
アクセスの規制された、個人化されたデータおよび／またはプログラムの自動的生成システムであって、中央ユニット（４０）と、少なくとも１つのソース・データベース（４２）と、複数のユーザー・ユニット（２０，．．．，２４）を備え、前記個人化され、アクセスの規制されたプログラムおよび／またはデータはネットワーク（３０／３１）を介して前記中央ユニット（４０）から前記ユーザー・ユニット（２０，．．．，２４）に送信されるシステムにおいて、
前記少なくとも１つのソース・データベース（４２）は、認証クラスに従って分割されたデータ・エレメント（４２１１，．．．，４２１４）を有する論理レコード（４２１，．．．，４２３）を含み、
前記システムはユーザー・データベース（４５）を有する特定モジュール（４４）を備え、前記特定モジュールには認証クラスが各ユーザー（１０，．．．，１４）に割り当てられて記憶され、
前記中央ユニット（４０）は、フィルター・モジュール（４１）を備え、前記フィルター・モジュールにより、前記個人化されたデータおよび／またはプログラムを、前記ユーザー（１０，．．．，１４）の前記認証データに基づいて、および前記ユーザー・ユニット（２０，．．．，２４）を用いて送信された前記アクセス・リクエスト・データに基づいて、生成することが可能であるシステム。
【請求項１３】
前記ユーザー（１０，．．．，１４）の前記アクセス・リクエスト・データは宛先データを含み、前記宛先データを用いてどのユーザーおよび／またはユーザー・クラスに前記個人化され、アクセスの規制されたデータおよび／またはプログラムが送信されるべきかを定義することが可能である、請求項１２に記載のシステム。
【請求項１４】
前記通信装置（２０，．．．，２４）は、前記データを前記それぞれのユーザー（１０，．．．，１４）の前記認証クラスに従ってフィルタリングするフィルター・モジュールを備えた、請求項１２または１３に記載のシステム。
【請求項１５】
前記中央ユニット（４０）は清算データを生成する清算モジュール（４３）を備え、前記清算データは前記アクセスの規制された、個人化されたデータおよび／またはプログラムへの前記アクセスに対する課金データを含む、請求項１２〜１４のいずれか一項に記載のシステム。
【請求項１６】
前記中央ユニット（４０）は前記ユーザー（１０，．．．，１４）に割り当てられて記憶されたユーザー・プロフィルを含み、前記アクセスの規制された、個人化されたデータおよび／またはプログラムは少なくとも部分的に前記ユーザー・プロフィルに基づいて生成され、および／または最適化される、請求項１２〜１５のいずれか一項に記載のシステム。
【請求項１７】
前記中央ユニット（４０）は永久的データ・ストアを備え、前記永久的データ・ストアにおいて前記アクセスの規制された、個人化されたデータおよび／または前記ユーザー（１０，．．．，１４）にアクセス可能に記憶される、請求項１２〜１６のいずれか一項に記載のシステム。
【請求項１８】
前記ユーザー・プロフィルはネットワーク特性についてのユーザーに特異的なデータおよび／または前記ユーザー（１０，．．．，１４）の前記通信装置のハードウェア特性についてのデータ、および／またはユーザーの挙動についてのデータを備える、請求項１２〜１７のいずれか一項に記載のシステム。
【請求項１９】
前記中央ユニット（４０）は、前記ユーザー（１０，．．．，１４）の異なる通信装置（２０，．．．，２４）に対して異なるユーザー・プロフィルを備える、請求項１２〜１８のいずれか一項に記載のシステム。
【請求項２０】
前記システムは、前記アクセス・リクエスト・データを前記中央ユニット（４０）に送信する第１の双方向通信チャンネルと、第２の通信チャンネルを備え、前記ユーザー（１０，．．．，１４）は前記第１の双方向通信チャンネルを介して特定可能であり、かつ前記アクセスの規制された、個人化されたデータおよび／またはプログラムは前記通信装置（２０，．．．，２４）に暗号化された態様で、第２の通信チャンネルを経由して一方向に送信可能である、請求項１２〜１９のいずれか一項に記載のシステム。
【請求項２１】
前記第１の双方向通信チャンネルは少なくとも１つのモバイル無線ネットワーク（３１）を含み、および／または前記第２の一方向通信チャンネルは少なくとも１つの放送送信機を含む、請求項２０に記載のシステム。
【請求項２２】
前記システムは、ＨＴＭＬおよび／またはＨＤＭＬおよび／またはＷＭＬおよび／またはＶＲＭＬおよび／またはＡＳＤ形式で個人化されたデータを生成するデータ・モジュールを備える、請求項１２〜２１のいずれか一項に記載のシステム。
【発明の詳細な説明】
【技術分野】
【０００１】
本発明は、ユーザーが中央ユニットにネットワークを介して通信装置を用いてアクセスし、アクセスを規制されたデータおよび／またはプログラムが少なくとも１つの通信装置に送信される、アクセスを規制された個人化データおよび／またはプログラムの自動生成システム並びに方法に関するものである。
【背景技術】
【０００２】
現在、世界的にますます多くのコンピュータおよび通信システムを使用して、例えばＬＡＮ(ローカル・エリア・ネットワーク)、ＷＡＮ（ワイド・エリア・ネットワーク）またはインターネットのようなネットワーク越しに公衆交換電話回線網（ＰＳＴＮ）、または、例えばＧＳＭ（ＧｌｏｂａｌＳｙｓｔｅｍ  ｆｏｒ  Ｍｏｂｉｌｅ  Ｃｏｍｍｕｎｉｃａｔｉｏｎ（モバイル通信用グローバル・システム）もしくはＵＭＴＳネットワーク（Ｕｎｉｖｅｒｓａｌ  Ｍｏｂｉｌｅ  Ｔｅｌｅｐｈｏｎｅ  Ｓｙｓｔｅｍ（ユニバーサル・モバイル・テレホン・システム））のようなモバイル無線ネットワーク（ＰＬＭＮ：Ｐｕｂｌｉｃ  Ｌａｎｄ  Ｍｏｂｉｌｅ  Ｎｅｔｗｏｒｋ（パブリック・ランド・モバイル・ネットワーク））等を介して、個人化データを得たり送信したりしている。特に、個人化データはそれにより他のコンピュータ・システムに提示され、および／または処理され、および／または変更されて利用可能になる。そのような個人化データに入るものとしては、とりわけ、テキスト、グラフィックス、ピクチャー、アニメーション、ビデオのようなディジタル・データ、クイック・タイム（Ｑｕｉｃｋ  Ｔｉｍｅ）および音声記録がある。また、ＭＰｘ（ＭＰ３）またはＭＰＥＧｘ（ＭＰＥＧ７）標準もそれらに属する。というのは、それらは動画エキスパーツ・グループにより定義されており、すなわちプログラムおよびアプレットとして実行可能であるからである。今日、個人化データを生成し、送信する際に、多くの場合、解決すべき問題はデータの増大する量（例えば、マルチメディア・データ）だけでなく、データのセキュリティ、データの供給および利用可能にすること、データの管理およびデータの課金も問題である。これらのデータは特定のユーザーに対してユーザーのアクセス権、信用度に従って、個人化された仕方で生成されるべきものである。近年におけるこれらの問題に対する実用にかなった技術的解決に対する大きな需要に寄与しているのは、インターネットのようなサービスが急速に一般化しつつあること、例えばビデオ・フィルムやプログラム／データのようなマルチメディア・データの「オン・デマンド」に対する需要、およびネットワークで可能なマルチユーザー・アプリケーション、およびさらには特に会社やその従業員用の専門家向けサービスである。例えば、技術水準の特許文献１（国際特許出願公開第９８／４３１７７号明細書）は、データベースからのデータを動的に選択し、抽出し、かつユーザーに特異的に適合化するそのようなシステムの例を示す。このデータはシステムのユーザーに送信される。しかしながら、この解決策には、なかんずく、異なるユーザーによる同じ論理レコードへのアクセスの規制が不可能であるか、または困難であるという欠点がある。従って、情報を、例えばフィルタリングの前に既に、ユーザーに特異的に取り扱うことが不可能であり、そのため、特にデータのセキュリティに関して技術的に実用的な解決を図ることが不可能になる。
【０００３】
【特許文献１】国際特許公開第９８／４３１７７号明細書
【発明の開示】
【発明が解決しようとする課題】
【０００４】
本発明の目的は、上述の技術水準の欠点を持たない、アクセスの規制された個人化データおよび／またはプログラムの新規な自動生成システムおよび方法を提案することである。特に、データを簡単にかつユーザーに特異的に生成し（個人化データ）、そのデータを管理し、それぞれのユーザーに処分を委ねる、簡単で合理的な自動化システムおよび方法を提案する必要がある。
【課題を解決するための手段】
【０００５】
この目的は、本発明によれば特に独立請求項の構成要件により達成される。さらに好適な実施形態が従属請求項および明細書の記載から得られる。
【０００６】
特に、これらの目的は、本発明により、ユーザーが通信装置を用いてネットワークを介して中央ユニットにアクセスし、アクセスの規制されたデータおよび／またはプログラムが少なくとも１つの通信装置に送信される際に、論理レコードは、データ・エレメントを認証クラスに従って分割し、少なくとも１つのソース・データベースに記憶することにより生成し、ユーザーは中央ユニットにより特定され、認証クラスがユーザー・データベースを用いてユーザーに割当てられ、前記少なくとも１つのソース・データベースの前記論理レコードへのアクセスのアクセス要求データが前記通信装置から前記ネットワークを介して前記中央ユニットに送信され、前記個人化された、アクセスの規制されたデータおよび／またはプログラムは前記ユーザーの前記認証クラスと前記アクセス要求データに基づいて前記中央ユニットのフィルター・モジュールを用いて生成されるようにすることで達成される。個人化されたデータを生成するために、中央ユニットは、例えばＨＴＭＬ（Ｈｙｐｅｒ  Ｔｅｘｔ  Ｍａｒｋｕｐ  Ｌａｎｇｕａｇｅ、ハイパーテキスト・マークアップ言語）および／またはＨＤＭＬ（Ｈａｎｄｈｅｌｄ  Ｄｅｖｉｃｅ  Ｍａｒｋｕｐ  Ｌａｎｇｕａｇｅ、ハンドヘルド装置マークアップ言語）および／またはＶＲＭＬ（Ｖｉｒｔｕａｌ  Ｒｅａｌｉｔｙ  Ｍｏｄｅｌｉｎｇ  Ｌａｎｇｕａｇｅ、仮想現実モデル化言語）および／またはＡＳＰ（Ａｃｔｉｖｅ  Ｓｅｒｖｅｒ  Ｐａｇｅｓ、アクティブ・サーバー・ページ）モジュールを備えていてもよい。この変形例の利点は、就中、同じ論理レコードへのアクセスを、認証クラスに従って分割して規制し、管理することが可能であることでする。同時に、アクセスの規制されたデータおよび／またはプログラムを簡単にユーザーに特異的に適合させ、最適化することが可能であることにある。
【０００７】
一変形例では、ユーザーのアクセス要求データを用いて、どのユーザーおよび／またはユーザー・クラスに個人化され、アクセスの規制されたデータおよび／またはプログラムを送信するかが決定される。この変形例の利点は、就中、保護された情報を複数の異なるユーザーに簡単な方法で（例えば会議情報等）、支持者側が認証クラスおよび／またはアクセス権等に注意を払うことなく送信することが可能であることにある。それにより、アクセス要求データには、例えばコンテンツ指向データのみを含めることが可能である。
【０００８】
他の変形例では、データは通信装置の追加のフィルター・モジュールによりそれぞれのユーザーの認証クラスに従ってフィルタリングされる。この変形例の利点は、就中、個人化されたデータおよび／またはプログラムを、例えば放送送信機のような第２の一方向通信チャンネルを介して複数の通信装置に同時に送信するとき、またはまったく一般的には、個人化されたデータおよび／またはプログラムを複数のユーザーに同時に送信しようとするときである。各ユーザーはその認証クラスに従ってデータをフィルタリングし、および／またはデータを復号することが可能である。
【０００９】
さらなる変形例では、中央ユニットから清算モジュールに清算データが送信され、この清算データはアクセスの規制された、個人化されたデータおよび／またはプログラムへのアクセスに対する課金データを含む。特に、認証クラスおよび／またはユーザー・プロフィルは、例えばユーザーおよび／または中央ユニットにより定義可能な、その限度まで得られた個人化されたデータおよび／またはプログラムの自動課金ができる信用限度に対する金額を設定するアクセス条件データを含んでいてもよい。このようにする利点は、特に、個人化されたデータおよび／またはプログラムへのアクセスに対する支払いにおいて、ユーザーまたは中央ユニットは、どのタイプの課金をどの金額まで行うべきかを自由に決定することが可能であることにある。さらに、まったく一般的には、この変形例の利点は、得られたデータをユーザーに自動的に課金できることにある。
【００１０】
さらに他の変形例では、ユーザー・プロフィルがそれぞれのユーザーの挙動に基づいて作成され、そのユーザーに割り当てられて記憶され、アクセスの規制された、個人化されたデータおよび／またはプログラムは少なくとも部分的に前記ユーザー・プロフィルに基づいて生成および／または最適化される。ユーザー・プロフィルは、例えばネットワークの特徴についての個人化されたデータ、および／またはユーザーの通信装置のハードウェア特性についてのデータ、および／またはユーザーの挙動についてのデータを含んでいてもよい。この変形例の利点は、就中、そのようにすることにより、ユーザーは複数の完全に異なる通信装置を管理し、または中央に管理させることが可能であることにある。ユーザーは、例えば、アクセス要求を中央ユニットにＷＡＰおよび／またはＳＭＳ−能力を有するモバイル無線装置を用いて送り、そして例えばその後に、迅速に、提供された個人化されたデータにコンピュータ・システムのより便利なインターフェースを介してアクセスすることが可能である。
【００１１】
一変形例では、アクセスの規制された、個人化されたデータおよび／またはプログラムをユーザーにアクセス可能に中央ユニットの永久データ・ストアに記憶することが可能である。これは、特に、ユーザーが異なる通信装置に対する複数のユーザー・プロフィルを定義することが可能である場合に意味をもつ。この変形例の利点は、就中、それにより、ユーザーは複数の完全に異なる通信装置を中央で管理することが可能であることにある。従って、例えば、ユーザーはコンピュータ・システムの速いインターフェースを介して中央ユニットのために他の通信装置、例えばＷＡＰおよび／またはＳＭＳ−能力を有するモバイル無線装置に提供すべきデータを定義し、かつ管理することが可能である。
【００１２】
他の変形例では、異なる通信装置に対して異なるユーザー・プロフィルをユーザーに割り当てて記憶する。この変形例の利点は、就中、例えばデータがユーザーにより簡便に要求され、会合または他のイベントの全参加者にそれら参加者の認証クラスに従って送付することが可能であることにある。
【００１３】
さらなる変形例では、アクセス要求データは中央ユニットに第１の双方向通信チャンネルを介して送信され、アクセスの規制された、個人化されたデータおよび／またはプログラムは前記通信装置に第２の通信チャンネルを介して暗号化されて一方向に送信される。第１の双方向通信チャンネルは少なくともモバイル無線ネットワークを備えていてもよく、および／または第２の一方向通信チャンネルは少なくとも放送送信機を備えていてもよい。この変形例の利点は、就中、第１の通信チャンネル（セキュリティ・チャンネル）を用いて、ユーザーの特定およびアクセス要求データの送信に対して高度のセキュリティが達成されることにある。データ・スループット集約的送信のために、より高速な、そしてある場合には、より安価な送信のために、放送チャンネルを第２の一方向通信チャンネルとして選択してもよい。
【００１４】
ここで、述べておかなければならないことは、上述の本発明の方法以外にも、本発明はこの方法を実施するシステムにも関するものであることである。さらに、本発明は上述のシステムおよび方法に限定されず、本発明の方法を達成するコンピュータ・プログラム産物にも関するものである。
【発明を実施するための最良の形態】
【００１５】
本発明の変形例を、実施例を参照して以下に説明する。これら実施例を添付の図面に示す。
【００１６】
図１はアクセスの規制された、個人化されたデータおよび／またはプログラムの自動生成システムおよび方法を図式的に示すブロック図である。通信装置２０，．．．，２４を用いて、ユーザー１０，．．．，１４はネットワーク３０／３１を介して中央ユニット４０にアクセスし、アクセスの規制されたデータおよび／またはプログラムは少なくとも１つの通信装置１０，．．．，１４に送信される。
【００１７】
図１は本発明を達成するのに使用することができるアーキテクチュアを模式的に示す。この実施例では、ユーザー１０，．．．，１４は、通信装置２０，．．．，２４を使用してネットワーク３０／３１を介して中央ユニット４０にアクセスし、アクセスの規制されたデータおよび／またはプログラムが少なくとも１つの通信装置１０，．．．，１４に送信される。ネットワーク３０／３１は、例えばＧＳＭまたはＵＭＴＳネットワーク、もしくは衛星に基づくモバイル無線ネットワークのような通信ネットワーク、および／または１つ以上の固定ネットワーク、例えば公衆交換電話網、または適当なＬＡＮ（Ｌｏｃａｌ  Ａｒｅａ  Ｎｅｔｗｏｒｋ）もしくはＷＡＮ（Ｗｉｄｅ  Ａｒｅａ  Ｎｅｔｗｏｒｋ）を備えることが可能である。特に、上記ネットワークはＩＳＤＮおよびＸＤＳＬ接続をも備えている。しかしながら、受信装置２０，．．．，２４および中央ユニット４０の間の接続は、異なるデータ・チャンネルを介して行うことが可能であり、そして通信ネットワーク３０／３１を直接介さずに接続することも可能である。データは、例えば受信装置２０，．．．，２４および中央ユニット４０の間でインターフェース（例えば、赤外線インターフェースまたはブルートゥース（Ｂｌｕｅｔｏｏｔｈ）のような無線インターフェース）を介してデータ端末へおよび通信ネットワークを介してデータ端末から、あるいはデータ端末に挿入可能な、受信装置２０，．．．，２４の取外し可能なチップカードを用いて、このデータ端末と通信ネットワーク３０／３１を介して中央ユニット４０に送信することが可能である。しかしながら、この好適な変形例では、受信装置２０，．．．，２４と中央ユニット４０はそれぞれ通信モジュールを備えている。この通信モジュールを用いてデータを通信ネットワーク３０／３１越しに交換することが可能である。既に述べたように、通信ネットワーク３０／３１は、例えば、モバイル無線ネットワーク、例えばＧＳＭ、ＧＰＲＳまたはＵＭＴＳネットワーク、あるいは他の、例えば衛星に基づくモバイル無線ネットワーク、または固定ネットワーク、例えばＩＳＤＮネットワーク、公衆交換電話網、ＴＶもしくはラジオ・ケーブル・ネットワークまたはＩＰネットワーク（インターネット・プロトコル）を備えている。特に、モバイル装置として設計された受信装置２０，．．．，２４では、通信モジュールはモバイル無線ネットワーク３１および／またはＷＬＡＮを介する通信のためのモバイル無線モジュールを備えている。アクセスの規制されたデータおよび／またはプログラムにより了解されるのは、例えば、就中、ディジタル・データ、例えばテキスト、グラフィック、画像、地図、アニメーション、動画、ビデオ、クイック・タイム（ＱｕｉｃｋＴｉｍｅ）、音声記録、プログラム（ソフトウェア）、プログラム添付データ、およびマルチメディア・データへのハイパーリンクまたは参照である。また、それらに属するものには、例えばＭＰｘ（ＭＰ３）またはＭＰＥＧｘ（ＭＰＥＧ４もしくは７）標準があり、ムービング・ピクチャー・エキスパーツ・グループ（Ｍｏｖｉｎｇ  Ｐｉｃｔｕｒｅ  Ｅｘｐｅｒｔｓ  Ｇｒｏｕｐ）により定義されている通りである。ユーザーの���信装置２０，．．．，２４は、例えばＰＣ（パーソナル・コンピュータ）、ＴＶ、ＰＤＡ（Ｐｅｒｓｏｎａｌ  Ｄｉｇｉｔａｌ  Ａｓｓｉｓｔａｎｔ、パーソナル・ディジタル・アシスタント）またはモバイル無線装置（特に、例えば放送受信機と組み合わせたもの）であってもよい。論理レコード４２１，．．．，４２３は、データ・エレメントが認証クラス（ａｕｔｈｏｒｉｚａｔｉｏｎ  ｃｌａｓｓｅｓ）に従って分割されて生成され、少なくとも１つのソース・データベース４２に記憶される。論理レコード４２１，．．．，４２３を生成するために、データを中央ユニット４０にアクセス可能に、例えば、種々のネットワークにおける種々の場所に、またはローカルに記憶することが可能である。最後に述べたネットワークは、就中、例えばＬＡＮ（Ｌｏｃａｌ  Ａｒｅａ  Ｎｅｔｗｏｒｋ、ローカル・エリア・ネットワーク）またはＷＡＮ（Ｗｉｄｅ  Ａｒｅａ  Ｎｅｔｗｏｒｋ，ワイド・エリア・ネットワーク）、インターネット、放送ケーブル・ネットワーク、ＰＳＴＮ、ＰＬＭＮを含んでいてもよい。論理レコード４２１，．．．，４２３は、例えばコンテンツに基づくインデックス技法を参照して抽出することが可能であり、キーワード、同義語、マルチメディア・データ（例えば、ハイパーリンクも）への参照、画像、および／または音声シーケンス等を含んでいてもよい。そのようなシステムは技術水準において種々の変形例として知られている。それらの例としては、米国特許第５，４１４，６４４号明細書が３ファイル−インデキシング技法を記載し、米国特許第５，２１０，８６８号明細書がマルチメディア・データのインデキシングおよびメタデータの抽出の際に、追加的に同義語も検索キーワードとして記憶することを記載している。本実施例でも、論理レコード４２１，．．．，４２３を生成することが可能であるが、少なくとも部分的に動的に（実時間で）アクセス・リクエストのユーザー・データに基づいて生成される、すなわち、ソース・データベース４２のデータに基づいているだけで生成される訳ではない。このようにすることの利点は、例えば、少なくとも１つのソース・データベース４２の論理レコード４２１，．．．，４２３は常に更新された特性を有し、ユーザーに対して正確さの点で便宜であることにある。従って、通信装置２０，．．．，２４におけるユーザーの挙動から中央ユニット４０に対する一種のフィードバックの可能性が存在することになり、論理レコード４２１，．．．，４２３の抽出または生成に直接影響を与えることが可能である。いわゆるエージェントを、特にあるデータの検索の際に、使用することができる。
【００１８】
ユーザー１０，．．．，１４は中央ユニット４０により特定され、認証クラスがユーザー１０，．．．，１４にユーザー・データベース４５を用いて割り当てられる。例えば、個人特定番号（ＰＩＮ）および／またはいわゆるスマート・カードを特定のために使用することが可能である。スマート・カードは、普通、通信装置２０，．．．，２４にカード・リーダーが存在することを前提としている。いずれの場合も、ユーザー１０，．．．，１４の名前または他の特定事項並びにＰＩＮが中央ユニット４０に、または信頼できるリモート・サーバーに送信される。特定モジュール４４または認証モジュール４４はＰＩＮを（要すれば）ユーザー・データベース４５を介して復号化し、そしてチェックする。一実施例として、クレジット・カードもユーザー１０，．．．，１４の特定に使用することが可能である。ユーザー１０，．．．，１４が自分のクレジット・カードを使用する場合は、ユーザーは自分のＰＩＮも同様に入力することが可能である。クレジット・カードの磁気ストリップは、一般に、口座番号と認証された所有者、すなわちこの場合はユーザー１０，．．．，１４の暗号化されたＰＩＮを含む。復号は、技術水準において一般的であるように、カード・リーダー自体において直接行うことが可能である。スマート・カードの利点は、ＰＩＮの暗号を追加することにより詐欺に対して安全性をより強化できることにある。この暗号化は、例えば時刻、日付、月その他のアルゴリズムを含む動的暗号化スキームによっても行うことができる。複合化および特定は装置自体では行われず、外部で特定モジュール４５を介して行われる。さらなる可能性としては、通信装置２０，．．．，２４に直接挿入されるチップカードがある。チップカードは、例えばＳＩＭ（Ｓｕｂｓｃｒｉｂｅｒ  Ｉｄｅｎｔｉｆｉｃａｔｉｏｎ  Ｍｏｄｕｌｅ（契約者特定モジュール））カードまたはスマート・カードであってもよく、呼び出し番号はチップカードにその都度割り当てられる。この割当は、例えば、ＨＬＲ（Ｈｏｍｅ  Ｌｏｃａｔｉｏｎ  Ｒｅｇｉｓｔｅｒ（ホーム位置レジスタ））を介して、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ、国際モバイル契約者特定）、例えばＭＳＩＳＤＮ（Ｍｏｂｉｌｅ  Ｓｕｂｓｃｒｉｂｅｒ  ＩＳＤＮ（モバイル契約者ＩＳＤＮ））により行われ、ＨＲＬに割り当てられた呼び出し番号が記憶される。
【００１９】
ユーザー１０，．．．，１４は通信装置２０，．．．，２４の少なくとも１つのソース・データベース４２の論理レコード４２１，．．．，４２３へのアクセスのためのアクセス・リクエスト・データをネットワーク３０／３１を介して中央ユニット４０に送信する。このアクセス・リクエスト・データは通信装置２０，．．．，２４の入力要素を介して入力することが可能である。この入力要素としては、例えばキーボード、グラフィック入力要素（マウス、トラックボール、仮想虹彩ディスプレイ（ｖｉｒｔｕａｌ  ｒｅｔｉｎａｌ  ｄｉｓｐｌａｙ（ＶＲＤ））を有するアイ・トラッカー等）だけでなくＩＶＲ（Ｉｎｔｅｒａｃｔｉｖｅ  Ｖｏｉｃｅ  Ｒｅｓｐｏｎｓｅ（対話型音声応答装置）も挙げることができる。ユーザー１０，．．．，１４は自身でアクセス・リクエスト・データの少なくとも一部分を、例えば少なくとも１つのソース・データベース４２の送信されたコンテンツ表示および／またはアクセス条件データに基づいて、決定することが可能である。これは、例えば、受信装置２０，．．．，２４からユーザーがインターフェースを介してアクセス条件またはアクセス条件の一部分に対する同意を与えることを要求されることにより行われる。ソース・データベース４２のデータへのアクセスの条件には、特に追加の認証および／またはアクセス料金を含めることが可能である。アクセス条件データは中央ユニット４０でチェックされ、次いで所望の個人化された、アクセスの規制されたデータおよび／またはプログラムがユーザー１０，．．．，１４の認証クラスおよびアクセス・リクエスト・データに基づいてフィルター・モジュール４１を用いて生成される。個人化されたデータは、例えばＨＴＭＬ（Ｈｙｐｅｒ  Ｔｅｘｔ  Ｍａｒｋｕｐ  Ｌａｎｇｕａｇｅ（ハイパーテキスト・マークアップ言語））および／またはＨＤＭＬ（Ｈａｎｄｈｅｌｄ  Ｄｅｖｉｃｅ  Ｍａｒｋｕｐ  Ｌａｎｇｕａｇｅ（ハンドヘルド装置マークアップ言語））および／またはＷＭＬ（Ｗｉｒｅｌｅｓｓ  Ｍａｒｋｕｐ  Ｌａｎｇｕａｇｅ（無線マークアップ言語））および／またはＶＲＭＬ（Ｖｉｒｔｕａｌ  Ｒｅａｌｉｔｙ  Ｍａｒｋｕｐ  Ｌａｎｇｕａｇｅ（仮想現実マークアップ言語））および／またはＡＳＤ（Ａｃｔｉｖｅ  Ｓｅｒｖｅｒ  Ｐａｇｅｓ（アクティブ・サーバー・ページ））で生成し、送信することが可能である。これは、例えば、中央ユニット４０の、ハードウェアおよび／またはソフトウェアにより達成される、対応するモジュールを用いて行うことができる。アクティブ・サーバー技術の利点は、就中、動的アクセス・インターフェースおよび／またはアクセス・サーフェスを、いわゆるアクセス・オン・デマンドのために生成することが可能になることである。同様の利点を持つ他の技術を用いることも、もちろん、考えられる。
【００２０】
フィルター・モジュール４１を用いて、個人化された、アクセスの規制されたデータおよび／またはプログラムを電子スタンプ、電子署名または電子ウォーターマーク付きで提供することが可能である。電子署名は個人化された、アクセスの規制されたデータ及び／またはプログラムが後の任意の時点で中央ユニット４０からそれらを取得したユーザー１０，．．．，１４に割り当てられることを可能にする。個人化された、アクセスの規制されたデータおよび／またはプログラムの不正使用は、ユーザー１０，．．．，１４が料金を支払うことにより、防止することができる。通信装置２０，．．．，２４の追加のフィルター・モジュールを用いて個々のユーザー１０，．．．，１４のデータを通信装置２０，．．．，２４において、例えば認証クラスにも従って最初にフィルタリングすることができる。例えば、中央ユニット４０はデータ・トークンを生成し、それを受信装置２０，．．．，２４に送信することが可能であり、データ・トークンとしては、それぞれの場合、暗号化された、アクセスの規制されたデータおよび／またはプログラムに対応するキー、またはアクセスの規制されたプログラムおよび／またはデータを復号するためのキーに対するアクセス許可に対するデータが挙げられる。論理レコード４２１，．．．，４２３の種々のデータ・エレメント４２１１，．．．，４２１４はそれにより、例えば認証クラスに従って分類されるだけでなく、種々のキーを用いて暗号化することが可能である。それにより、追加のセキュリティを達成することが可能であり、ユーザー２０，．．．，２４が自己の認証クラスに従って資格を有するデータ・エレメント４２１１，．．．，４２１４のみを実際に復号することができるようにすることを保証している。この変形例が有利であるのは、特に、個人化されたデータおよび／またはプログラムが複数の通信装置２０，．．．，２４に同時に、例えば、放送送信機のような第２の一方向通信チャンネルを介して、送信されるときである。
【００２１】
上述のように、アクセスの規制されたデータおよび／またはプログラムは中央ユニット４０から少なくとも１つの通信装置１０，．．．，１４に送信される。データは（例えばアクセス・リクエストを配置した後）、例えばプッシュダウン（ｐｕｓｈ−ｄｏｗｎ）方式または対応する転送プロトコル等を用いて中央ユニット４０から通信装置１０，．．．，１４にデータ・ストリームとして自動的に送信することができる。アクセスの規制された、個人化されたデータおよび／またはプログラムは、また、最初に、例えば中央ユニット４０の、ユーザーがアクセス可能な永久的データ・ストア４６に記憶させて、後の任意の時点でユーザーが通信装置１０，．．．，１４を用いてアクセスすることができるようにすることが可能である。一変形例として、この実施例において、中央ユニット４０から清算用データを清算モジュール４３に追加的に送信することが可能である。この清算用データはアクセスの規制された、個人化されたデータおよび／またはプログラムへの上述のアクセスに対する課金データを含んでいてもよい。清算用データは、ＣＤＲレコード（Ｃａｌｌ  Ｄａｔａ  Ｒｅｃｏｒｄｓ（呼び出しデータ・レコード）と同様に課金レコード（例えば電子署名されたもの）をいわゆるＤＵＲレコード（ＤＡＢ／ＤＶＢ  Ｕｓａｇｅ  Ｒｅｃｏｒｄｓ（ＤＡＢ／ＤＶＢ利用レコード））として含んでいてもよく、それらは中央ユニット４０を介して清算モジュール４３に送信される。同様に、清算モジュール４３はかならずしも中央ユニット４０に統合される必要はないが、その代わりに、独立のユニットとして、中央ユニット４０に通信ネットワーク３０／３１を介して接続することが可能である。清算データが得られたアクセスの規制された、個人化されたプログラムおよび／またはデータに従ってユーザーおよび／またはプロバイダに金額を請求しまたは信用供与する課金パラメータを有する課金データを含むならば、アクセスに対する費用は中央ユニット４０により計算され、金融機関を介して金額の清算が対応する口座に信用供与されるか（従って、ユーザーの場合は、例えば後援も可能である）、または請求される。これは、ユーザーがアクセスの規制されたデータにアクセスする前、後または間の所定の間隔で（例えば、定期的に）行うことが可能である。上記アクセスが中央ユニット４０により請求される際に、請求および／または信用供与金額は０であってもよい。しかしながら、ユーザーは、また、例えば送信されたデータに統合された広告セグメントを見ることによって、他の金額または他のサービスの信用供与を受けることができる。上述の通信モジュールを用いて、特に清算データを、中央ユニット４０にまたは中央ユニット４０から通信装置２０，．．．，２４に、例えば周期的に（例えば、ＧＳＭ／ＳＭＳ、ＧＳＭ／ＵＳＳＤ、ＧＰＲＳもしくはＵＭＴＳで）、または金額が所定の値に達したその都度、または所定の期間の後に送信することが可能である。所定の値に達すると、それぞれのユーザー１０，．．．，１４の支払い能力も中央ユニット４０により、例えば金融機関にチェックすることが可能である。金額の所定の値を、例えば受信装置２０，．．．，２４のデータ・ストアに記憶���ることが可能である。信用供与または請求は所定の金額に（プリペイド／ポストペイド）達する前または達した後に行うことが可能である。従って、後者の変形例では、記憶された金額は、選択に従って、例えば中央ユニット４０によって、または清算モジュール４３によって設定された信用供与限度に対応する。費用の計算および所定の金額との比較は受信装置２０，．．．，２４の費用獲得モジュールによって行うことが可能である。このモジュールは中央ユニット４０から送信された費用データに基づいてアクセスの規制されたプログラムおよび／またはデータに対するアクセス費用を計算する。費用獲得モジュールは、例えばプログラムされたソフトウェア・モジュールであり、受信装置４０またはチップカードのプロセッサ、またはハードウェアにより達成されたモジュール上に実装されている。チップカードを用いる変形例では、チップカードは、例えばＭｅｘＥ（Ｍｏｂｉｌｅ  Ｓｔａｔｉｏｎ  Ａｐｐｌｉｃａｔｉｏｎ  Ｅｘｅｃｕｔｉｏｎ  Ｅｎｖｉｒｏｎｍｅｎｔ（モバイル・ステーション・アプリケーション実行環境））仕様を考慮に入れた多機能ＳＩＭであってもよい。
【００２２】
個々のユーザーの挙動に基づいて、中央ユニット４０はユーザー・プロフィルを作成し、これを、ユーザー１０，．．．，１４に割り当てて記憶することが可能であり、アクセスの規制された、個人化されたデータおよび／またはプログラムがこのユーザー・プロフィルについて少なくとも部分的に生成され、および／または最適化される。ユーザー・プロフィルに記憶することができるのは、例えばネットワーク特性についてのユーザーに特異的なデータ、および／またはユーザー１０，．．．，１４の通信装置のハードウェア特性についてのデータ、および／またはユーザーの挙動についてのデータがある。特に、例えば異なる通信装置２０，．．．，２４に対する異なるユーザー・プロフィルもユーザー１０，．．．，１４に割り当てて記憶することが可能である。上述のように、ユーザー・プロフィルはそれぞれのユーザーの挙動に基づいて、および／またはユーザー１０，．．．，１４からのユーザー情報に基づいて中央ユニット４０を用いて、例えば自動的に作成し、ユーザーに割り当てて中央ユニット４０に記憶することが可能である。少なくとも１つのソース・データベース４２を用いて、中央ユニット４０はユーザー・プロフィルに基づいてユーザーに特異的に最適化されたデータおよび／またはプログラムを生成することが可能である。ユーザー・プロフィルは、中央ユニット４０に、例えば特定のユーザーに永久的に割り当てられて保存されたままであるか、または例えば各アクセス・リクエスト毎に新しく作成される。ユーザー・プロフィルは、また、特に、さらなる処理条件データを含んでいてもよく、処理条件データはユーザー１０，．．．，１４により、および／または中央ユニット４０により、および／または（例えば料金支払いを条件として、および／または著作権等により保護されたマルチメディア・データのプロバイダのような）権限を有する第三者により定義可能である。
【００２３】
この実施例では、中央ユニット４０と通信装置２０，．．．，２４の間の通信は、双方向通信チャンネルの代わりに、例えば複数の通信チャンネルを介して行うことが可能である。従って、例えばアクセス・リクエスト・データは第１の双方向通信チャンネル（例えば保護されたチャンネル／セキュリティ・チャンネル）を経由して中央ユニット４０に送信することが可能であり、それにより、ユーザー１０，．．．，１４が特定される。第２のステップにおいて、アクセスの規制された、個人化されたデータおよび／またはプログラムが暗号化され第２の通信チャンネル（放送チャンネル）を経由して通信装置２０，．．．，２４に一方向に送信される。第１の双方向通信チャンネルは、例えば少なくとも１つのモバイル無線ネットワーク３１を含んでいてもよい。一方、第２の一方向通信チャンネルは、例えば、少なくとも放送送信機を含んでいてもよい。放送送信機は受信装置２０，．．．，２４に一方向に、例えば地上または衛星に基づいた放送送信アンテナから空気界面を経由して、または放送ケーブル・ネットワークを介して無線を用いてプログラムおよび／またはデータを送信する。中央ユニット４０のオペレータとしては、同様に、よく確立された区別の中に種々の様相、例えば放送コンテンツ・プロバイダ(放送プログラムに責任を持つ)、放送サービス・プロバイダー(パッケージング等)、および放送ネットワーク・プロバイダ(放送、条件付きアクセス等に責任を持つ)を挙げることが可能である。この変形例では、受信装置２０，．．．，２４は放送受信機を備え、この放送受信機を用いて放送送信機により放送されたプログラムおよび／またはデータを、放送チャンネルを介して、例えば放送ケーブル・ネットワークまたは無線として受信アンテナを用いて空気界面を介して受信することが可能である。そのような放送送信機および放送受信機を有する放送システムが、例えばディジタル・オーディオ放送（ＤＡＢ）またはディジタル・ビデオ放送（ＤＶＢ）の名称で知られている。認証されたユーザーに対してアクセスを中央ユニット４０の個々のサービスもしくは複数のサービスに、あるいはサービス・コンポーネント（ＤＡＢに関しては、これらのサービスおよびサービス・コンポーネントはオーディオ・プログラムおよび／またはデータ（−サービス）であり、ＤＶＢに関しては、ビデオまたはテレビジョン・プログラムおよび／またはデータ（−サービス）である）に制限するために、ＥＴＳＩ標準で、アクセスの規制された、個人化されたデータおよび／またはプログラムのためのメカニズム、いわゆる条件付きアクセスが定義されている。特に、上述のＥＴＳＩ標準に記載されているのは、スクランブリング／デスクランブリング処理（暗号化／複合化）、条件付きアクセスの信号化および同期化用パラメータ、並びに放送チャンネル（放送ケーブル・ネットワークまたは空気界面）を経由したいわゆるＥＣＭ（Ｅｎｔｉｔｌｅｍｅｎｔ  Ｃｈｅｃｋｉｎｇ  Ｍｅｓｓａｇｅｓ（資格チェック・メッセージ））メッセージおよびＥＭＭ（Ｅｎｔｉｔｌｅｍｅｎｔ  Ｍａｎａｇｅｍｅｎｔ  Ｍｅｓｓａｇｅｓ（資格管理メッセージ））メッセージの送信による認証の制御および分配メカニズム（ユーザ���の認証データ）である。このように、条件付きアクセス・フラッグおよび／または条件付きアクセス識別子を、放送チャンネルを経由して送信されたサービス・コンポーネントのそれぞれについて用いて方送受信者にそれぞれのサービス・コンポーネントが条件付きアクセス・メカニズムを使用しているか否か、そして使用している場合は、どのタイプのメカニズムが使用されているかを示すことが可能である。規制されたアクセスモードにあり、かつ本明細書においてアクセスの規制されたデータおよび／またはプログラムと呼ばれるサービス・コンポーネントに対して、それぞれのサービス・コンポーネントのデータ（プログラムおよび／またはデータに関連するものであり得る）は制御語を用いて暗号化され、この制御語は定期的に変更され、その一部についてＥＣＭメッセージでセッション・キー（キー）を用いて暗号化されて放送受信機に送信される。条件付きアクセス識別子を用いて、受信装置２０，．．．，２４のいわゆるアクセス制御システムが特定され、このアクセス制御システム放送送信機により送信されたＥＣＭメッセージおよびＥＭＭメッセージを解釈し、処理することが可能である。本実施例では、アクセスの規制されたプログラムおよび／またはデータに受信装置２０，．．．，２４のユーザー１０，．．．，１４がアクセスするために、暗号化された方法で放送されたアクセスの規制されたプログラムおよび／またはデータを受信装置２０，．．．，２４において複合化することが可能であるのは、放送チャンネルを介して受信されたアクセスの規制されたプログラムおよび／またはデータのためのアクセス条件データがユーザーの認証データと一致する場合である。例えば、費用データも放送送信機により受信装置２０，．．．，２４にＥＣＭメッセージで送信することができる。すなわちアクセスの規制されたプログラムおよび／またはデータに対するプログラム費用があり、これらはサービス毎の自然発生的支払いに利用可能であり、および／またはアクセスの規制されたプログラムおよび／またはデータに対する時間単位または計算単位毎の費用があり、これらは時間単位または計算単位毎およびサービス毎の自然発生的支払いに利用可能である。計算単位は、例えば時間単位、論理単位、例えばビデオ・フィルム全体もしくは音楽全体等、または送信されたデータの量であってもよい。しかしながら、費用以外にも、受信されたアクセス条件データは、アクセスの規制されたプログラムおよび／またはデータにアクセスするための任意の他のアクセス条件をも含むことが可能である。暗号化されていないプログラムまたはデータを、例えば、受信装置２０，．．．，２４のユーザー１０，．．．，１４のために受信装置２０，．．．，２４の処理モジュールを介して、およびそこから電子−音響コンバーターまたは表示ユニットを介して再生することが可能である。
【００２４】
指摘するのが重要であるのは、一実施例の変形例として、アクセス・リクエスト・データを用いてユーザー１０，．．．，１４はどのユーザー１０，．．．，１４および／またはユーザー・クラスに個人化され、アクセスの規制されたデータおよび／またはプログラムを送信すべきかを決定することが可能であることである。その際、データを送信すべきユーザー１０，．．．，１４はアクセス・リクエスト・データを中央ユニット４０に送信したユーザー１０，．．．，１４と必ずしも同じである必要はない。ユーザー１０，．．．，１４の認証クラスに基づいて、あるユーザー・グループが中央ユニット４０により個人化され、アクセスの規制されたデータおよび／またはプログラムを送信することを阻止することも可能である。この変形例では、例えば、データを、ユーザー１０，．．．，１４が会合または他のイベントの全参加者に彼らの認証クラスに従って便利に送ることが可能である。
【図面の簡単な説明】
【００２５】
【図１】本発明による、アクセスの規制された、個人化されたデータおよび／またはプログラムの自動生成システムおよび方法を図式的に示すブロック図である。
【符号の説明】
【００２６】
１０，．．．，１４  ユーザー
２０，．．．，２４  通信装置
３０  ネットワーク
３１  モバイル無線ネットワーク
４０  中央ユニット
４１  フィルター・モジュール
４２  ソース・データベース
４２１，．．．，４２３  論理レコード
４２１１，．．．，４２１４  データ・エレメント
４３  清算モジュール
４４  特定モジュール
４５  ユーザー・データベース
４６  データ・ストア
【図１】
2007507012.tif 000003
【手続補正書】
【提出日】平成17年9月23日(2005.9.23)
【手続補正１】
【補正対象書類名】特許請求の範囲
【補正対象項目名】全文
【補正方法】変更
【補正の内容】
【特許請求の範囲】
【請求項１】
アクセスの規制された、個人化されたデータおよび／またはプログラムの自動的生成および利用可能化方法であって、ユーザー（１０，．．．，１４）が通信装置（２０，．．．，２４）を用いてネットワーク（３０／３１）を介して中央ユニット（４０）にアクセスし、前記アクセスの規制されたプログラムおよび／またはデータ少なくとも１つの通信装置（１０，．．．，１４）に送信される方法において、
認証クラスに従って分割されたデータ・エレメント（４２１１，．．．，４２１４）を有する論理レコード（４２１，．．．，４２３）が生成され、かつ少なくとも１つのソース・データベース（４２）に記憶され、
前記ユーザー（１０，．．．，１４）は前記中央ユニット（４０）により特定され、認証クラスが前記ユーザー・データベース（４５）を用いて割当られ、
前記少なくとも１つのソース・データベース（４２）の前記論理レコード（４２１，．．．，４２３）に対するアクセスのためのアクセス・リクエスト・データが前記通信装置（２０，．．．，２４）から前記ネットワーク（３０／３１）を介して前記中央ユニット（４０）に送信され、
前記アクセスの規制され、個人化されたデータおよび／またはプログラムは前記中央ユニット（４０）のフィルター・モジュール（４１）を用いて前記ユーザー（１０，．．．，１４）の前記認証データに基づいて、および前記アクセス・リクエスト・データに基づいて生成され、かつ前記ユーザー（１０，．．．，１４）にアクセス可能に利用可能にされる方法。
【請求項２】
前記ユーザー（１０，．．．，１４）の前記アクセス・リクエスト・データを用いて決定されるのは、前記個人化され、アクセスの規制されたデータおよび／またはプログラムがどのユーザーおよび／またはユーザー・グループに送信されるかである、請求項１に記載の方法。
【請求項３】
前記データは、前記それぞれのユーザー（１０，．．．，１４）の前記認証クラスに従って、前記通信装置（２０，．．．，２４）の追加のフィルター・モジュールを用いてフィルタリングされる、請求項１または２に記載の方法。
【請求項４】
清算データが中央ユニット（４０）から清算モジュール（４３）に送信され、前記清算データは前記アクセスの規制された、個人化されたデータおよび／またはプログラムへの前記アクセスに対する課金データを含む、請求項１〜３のいずれか一項に記載の方法。
【請求項５】
ユーザー・プロフィルが前記それぞれのユーザーの挙動に基づいて作成され、かつ前記ユーザー（１０，．．．，１４）に割り当てられて記憶され、前記アクセスの規制された、個人化されたデータおよび／またはプログラムは少なくとも部分的に前記ユーザー・プロフィルに基づいて生成され、および／または最適化される、請求項１〜４のいずれか一項に記載の方法。
【請求項６】
前記アクセスの規制された、個人化されたデータおよび／またはプログラムは前記ユーザーがアクセス可能な中央ユニット（４０）の永久データ・ストア（４６）に記憶される、請求項１〜５のいずれか一項に記載の方法。
【請求項７】
前記ユーザー・プロフィルに記憶されているのは、ネットワーク特性についてのユーザーに特異的なデータ、および／またはユーザー（１０，．．．，１４）の通信装置のハードウェア特性についてのデータ、および／またはユーザーの挙動についてのデータである、請求項１〜６のいずれか一項に記載の方法。
【請求項８】
異なる通信装置（２０，．．．，２４）に対して異なるユーザー・プロフィルがユーザー（１０，．．．，１４）に割り当てられて記憶される、請求項１〜７のいずれか一項に記載の方法。
【請求項９】
前記アクセス・リクエスト・データは第１の双方向通信チャンネルを経由して前記中央ユニット（４０）に送信され、前記ユーザー（１０，．．．，１４）は特定され、かつ前記アクセスの規制された、個人化されたデータおよび／またはプログラムは前記通信装置（２０，．．．，２４）に暗号化された態様で、第２の通信チャンネルを経由して一方向に送信される、請求項１〜８のいずれか一項に記載の方法。
【請求項１０】
前記第１の双方向通信チャンネルは少なくとも１つのモバイル無線ネットワーク（３１）を含み、および／または前記第２の一方向通信チャンネルは少なくとも１つの放送送信機を含む、請求項９に記載の方法。
【請求項１１】
ＨＴＭＬおよび／またはＨＤＭＬおよび／またはＷＭＬおよび／またはＶＲＭＬおよび／またはＡＳＤが前記個人化されたデータを生成するのに用いられる、請求項１〜１０のいずれか一項に記載の方法。
【請求項１２】
アクセスの規制された、個人化されたデータおよび／またはプログラムの自動的生成および利用可能化システムであって、中央ユニット（４０）と、少なくとも１つのソース・データベース（４２）と、複数のユーザー・ユニット（２０，．．．，２４）を備え、前記個人化され、アクセスの規制されたプログラムおよび／またはデータはネットワーク（３０／３１）を介して前記中央ユニット（４０）から前記ユーザー・ユニット（２０，．．．，２４）に送信されるシステムにおいて、
前記少なくとも１つのソース・データベース（４２）は、認証クラスに従って分割されたデータ・エレメント（４２１１，．．．，４２１４）を有する論理レコード（４２１，．．．，４２３）を含み、
前記システムはユーザー・データベース（４５）を有する特定モジュール（４４）を備え、前記特定モジュールには認証クラスが各ユーザー（１０，．．．，１４）に割り当てられて記憶され、
前記中央ユニット（４０）は、フィルター・モジュール（４１）を備え、前記フィルター・モジュールにより、前記個人化されたデータおよび／またはプログラムを、前記ユーザー（１０，．．．，１４）の前記認証データに基づいて、および前記ユーザー・ユニット（２０，．．．，２４）を用いて送信された前記アクセス・リクエスト・データに基づいて、生成することが可能であり、かつ前記ユーザー（１０，．．．，１４）にアクセス可能に利用可能にされるシステム。
【請求項１３】
前記ユーザー（１０，．．．，１４）の前記アクセス・リクエスト・データは宛先データを含み、前記宛先データを用いてどのユーザーおよび／またはユーザー・クラスに前記個人化され、アクセスの規制されたデータおよび／またはプログラムが送信されるべきかを定義することが可能である、請求項１２に記載のシステム。
【請求項１４】
前記通信装置（２０，．．．，２４）は、前記データを前記それぞれのユーザー（１０，．．．，１４）の前記認証クラスに従ってフィルタリングするフィルター・モジュールを備えた、請求項１２または１３に記載のシステム。
【請求項１５】
前記中央ユニット（４０）は清算データを生成する清算モジュール（４３）を備え、前記清算データは前記アクセスの規制された、個人化されたデータおよび／またはプログラムへの前記アクセスに対する課金データを含む、請求項１２〜１４のいずれか一項に記載のシステム。
【請求項１６】
前記中央ユニット（４０）は前記ユーザー（１０，．．．，１４）に割り当てられて記憶されたユーザー・プロフィルを含み、前記アクセスの規制された、個人化されたデータおよび／またはプログラムは少なくとも部分的に前記ユーザー・プロフィルに基づいて生成され、および／または最適化される、請求項１２〜１５のいずれか一項に記載のシステム。
【請求項１７】
前記中央ユニット（４０）は永久的データ・ストアを備え、前記永久的データ・ストアにおいて前記アクセスの規制された、個人化されたデータおよび／または前記ユーザー（１０，．．．，１４）にアクセス可能に記憶される、請求項１２〜１６のいずれか一項に記載のシステム。
【請求項１８】
前記ユーザー・プロフィルはネットワーク特性についてのユーザーに特異的なデータおよび／または前記ユーザー（１０，．．．，１４）の前記通信装置のハードウェア特性についてのデータ、および／またはユーザーの挙動についてのデータを備える、請求項１２〜１７のいずれか一項に記載のシステム。
【請求項１９】
前記中央ユニット（４０）は、前記ユーザー（１０，．．．，１４）の異なる通信装置（２０，．．．，２４）に対して異なるユーザー・プロフィルを備える、請求項１２〜１８のいずれか一項に記載のシステム。
【請求項２０】
前記システムは、前記アクセス・リクエスト・データを前記中央ユニット（４０）に送信する第１の双方向通信チャンネルと、第２の通信チャンネルを備え、前記ユーザー（１０，．．．，１４）は前記第１の双方向通信チャンネルを介して特定可能であり、かつ前記アクセスの規制された、個人化されたデータおよび／またはプログラムは前記通信装置（２０，．．．，２４）に暗号化された態様で、第２の通信チャンネルを経由して一方向に送信可能である、請求項１２〜１９のいずれか一項に記載のシステム。
【請求項２１】
前記第１の双方向通信チャンネルは少なくとも１つのモバイル無線ネットワーク（３１）を含み、および／または前記第２の一方向通信チャンネルは少なくとも１つの放送送信機を含む、請求項２０に記載のシステム。
【請求項２２】
前記システムは、ＨＴＭＬおよび／またはＨＤＭＬおよび／またはＷＭＬおよび／またはＶＲＭＬおよび／またはＡＳＤ形式で個人化されたデータを生成するデータ・モジュールを備える、請求項１２〜２１のいずれか一項に記載のシステム。
【手続補正２】
【補正対象書類名】明細書
【補正対象項目名】０００３
【補正方法】変更
【補正の内容】
【０００３】
特許文献２（米国特許出願公開第２００２／０１４３９６１号明細書）は、ユーザー・プロフィルが中央ストレージに記憶される、記載されたユーザー・プロフィルの管理システムを開示している。異なるサービス・プロバイダがこれらの中央に記憶され、管理されたユーザー・プロフィルまたはその中に含まれる特定のデータにアクセスすることが可能であり、それにより人の労働の費用を低減することができるとともに、データの整合性を改善することができる。アクセス・プロトコルを用いて、クライアントがユーザー・プロフィルを生成し、それらを管理し、それらにネットワークを介してアクセスすることが可能である。しかしながら、記載されているシステムはユーザー・プロフィルの管理の問題のみを解決するものであり、提供されたサービスの範囲内でユーザーに特異的なデータの生成を可能にするものではない。
特許文献３（米国特許出願公開第２００３／００８４１８４号明細書）に記載されているのは、通信時間および／または通信費用の関しおよび制御をする通信システムであって、ユーザーは使用済みおよび／または依然として残っている通信時間について通知され、制限値に到達すると通信が遮断される通信システムである。クライアントとホスト・システムの間の通信がバーチャル・セッション・マネジャー（Ｖｉｒｔｕａｌ  Ｓｅｓｓｉｏｎ  Ｍａｎａｇｅｒ（ＶＳＭ））を介して達成される。モバイル・クライアントとホスト・システムの間に交換される情報の品質はかなり低下し、それによりユーザーに対する費用が低減される。しかしながら、同特許文献はデータおよび／またはプログラムのユーザーに特異的な生成を開示していない。
【特許文献１】国際特許公開第９８／４３１７７号明細書
【特許文献２】米国特許出願公開第２００２／０１４３９６１号明細書
【特許文献３】米国特許出願公開第２００３／００８４１８４号明細書
【手続補正３】
【補正対象書類名】明細書
【補正対象項目名】００１７
【補正方法】変更
【補正の内容】
【００１７】
図１は本発明を達成するのに使用することができるアーキテクチュアを模式的に示す。この実施例では、ユーザー１０，．．．，１４は、通信装置２０，．．．，２４を使用してネットワーク３０／３１を介して中央ユニット４０にアクセスし、アクセスの規制されたデータおよび／またはプログラムが少なくとも１つの通信装置２０，．．．，２４に送信される。ネットワーク３０／３１は、例えばＧＳＭまたはＵＭＴＳネットワーク、もしくは衛星に基づくモバイル無線ネットワークのような通信ネットワーク、および／または１つ以上の固定ネットワーク、例えば公衆交換電話網、または適当なＬＡＮ（Ｌｏｃａｌ  Ａｒｅａ  Ｎｅｔｗｏｒｋ）もしくはＷＡＮ（Ｗｉｄｅ  Ａｒｅａ  Ｎｅｔｗｏｒｋ）を備えることが可能である。特に、上記ネットワークはＩＳＤＮおよびＸＤＳＬ接続をも備えている。しかしながら、受信装置２０，．．．，２４および中央ユニット４０の間の接続は、異なるデータ・チャンネルを介して行うことが可能であり、そして通信ネットワーク３０／３１を直接介さずに接続することも可能である。データは、例えば受信装置２０，．．．，２４および中央ユニット４０の間でインターフェース（例えば、赤外線インターフェースまたはブルートゥース（Ｂｌｕｅｔｏｏｔｈ）のような無線インターフェース）を介してデータ端末へおよび通信ネットワークを介してデータ端末から、あるいはデータ端末に挿入可能な、受信装置２０，．．．，２４の取外し可能なチップカードを用いて、このデータ端末と通信ネットワーク３０／３１を介して中央ユニット４０に送信することが可能である。しかしながら、この好適な変形例では、受信装置２０，．．．，２４と中央ユニット４０はそれぞれ通信モジュールを備えている。この通信モジュールを用いてデータを通信ネットワーク３０／３１越しに交換することが可能である。既に述べたように、通信ネットワーク３０／３１は、例えば、モバイル無線ネットワーク、例えばＧＳＭ、ＧＰＲＳまたはＵＭＴＳネットワーク、あるいは他の、例えば衛星に基づくモバイル無線ネットワーク、または固定ネットワーク、例えばＩＳＤＮネットワーク、公衆交換電話網、ＴＶもしくはラジオ・ケーブル・ネットワークまたはＩＰネットワーク（インターネット・プロトコル）を備えている。特に、モバイル装置として設計された受信装置２０，．．．，２４では、通信モジュールはモバイル無線ネットワーク３１および／またはＷＬＡＮを介する通信のためのモバイル無線モジュールを備えている。アクセスの規制されたデータおよび／またはプログラムにより了解されるのは、例えば、就中、ディジタル・データ、例えばテキスト、グラフィック、画像、地図、アニメーション、動画、ビデオ、クイック・タイム（ＱｕｉｃｋＴｉｍｅ）、音声記録、プログラム（ソフトウェア）、プログラム添付データ、およびマルチメディア・データへのハイパーリンクまたは参照である。また、それらに属するものには、例えばＭＰｘ（ＭＰ３）またはＭＰＥＧｘ（ＭＰＥＧ４もしくは７）標準があり、ムービング・ピクチャー・エキスパーツ・グループ（Ｍｏｖｉｎｇ  Ｐｉｃｔｕｒｅ  Ｅｘｐｅｒｔｓ  Ｇｒｏｕｐ）により定義されている通りである。ユーザーの���信装置２０，．．．，２４は、例えばＰＣ（パーソナル・コンピュータ）、ＴＶ、ＰＤＡ（Ｐｅｒｓｏｎａｌ  Ｄｉｇｉｔａｌ  Ａｓｓｉｓｔａｎｔ、パーソナル・ディジタル・アシスタント）またはモバイル無線装置（特に、例えば放送受信機と組み合わせたもの）であってもよい。論理レコード４２１，．．．，４２３は、データ・エレメントが認証クラス（ａｕｔｈｏｒｉｚａｔｉｏｎ  ｃｌａｓｓｅｓ）に従って分割されて生成され、少なくとも１つのソース・データベース４２に記憶される。論理レコード４２１，．．．，４２３を生成するために、データを中央ユニット４０にアクセス可能に、例えば、種々のネットワークにおける種々の場所に、またはローカルに記憶することが可能である。最後に述べたネットワークは、就中、例えばＬＡＮ（Ｌｏｃａｌ  Ａｒｅａ  Ｎｅｔｗｏｒｋ、ローカル・エリア・ネットワーク）またはＷＡＮ（Ｗｉｄｅ  Ａｒｅａ  Ｎｅｔｗｏｒｋ，ワイド・エリア・ネットワーク）、インターネット、放送ケーブル・ネットワーク、ＰＳＴＮ、ＰＬＭＮを含んでいてもよい。論理レコード４２１，．．．，４２３は、例えばコンテンツに基づくインデックス技法を参照して抽出することが可能であり、キーワード、同義語、マルチメディア・データ（例えば、ハイパーリンクも）への参照、画像、および／または音声シーケンス等を含んでいてもよい。そのようなシステムは技術水準において種々の変形例として知られている。それらの例としては、米国特許第５，４１４，６４４号明細書が３ファイル−インデキシング技法を記載し、米国特許第５，２１０，８６８号明細書がマルチメディア・データのインデキシングおよびメタデータの抽出の際に、追加的に同義語も検索キーワードとして記憶することを記載している。本実施例でも、論理レコード４２１，．．．，４２３を生成することが可能であるが、少なくとも部分的に動的に（実時間で）アクセス・リクエストのユーザー・データに基づいて生成される、すなわち、ソース・データベース４２のデータに基づいているだけで生成される訳ではない。このようにすることの利点は、例えば、少なくとも１つのソース・データベース４２の論理レコード４２１，．．．，４２３は常に更新された特性を有し、ユーザーに対して正確さの点で便宜であることにある。従って、通信装置２０，．．．，２４におけるユーザーの挙動から中央ユニット４０に対する一種のフィードバックの可能性が存在することになり、論理レコード４２１，．．．，４２３の抽出または生成に直接影響を与えることが可能である。いわゆるエージェントを、特にあるデータの検索の際に、使用することができる。
【国際調査報告】
2007507012.tif 000004
2007507012.tif 000005
2007507012.tif 000006
2007507012.tif 000007
2007507012.tif 000008
2007507012.tif 000009
2007507012.tif 000010
2007507012.tif 000011